(57)【要約】【課題】            電気コネクタに挿着したフレキシブルプリント基板（ＦＰＣ）やフレキシブルフラットケーブル（ＦＦＣ）を取外すとき、ターミナルの接点がＦＰＣ又はＦＦＣの導体を削り取り、錆を発生させ電気接触を不良としている。【解決手段】        電気コネクタ（８）のスライダー（１０）を、接点（１５）が本体（９）の内壁面に接する第１位置を取るとき、ＦＰＣ又はＦＦＣ（１８）を挿着し、スライダー（１０）を、接点（１５）がＦＰＣ又はＦＦＣ（１８）から離反する第２位置を取るとき、ＦＰＣ又はＦＦＣ（１８）を電気コネクタ（８）から取外す。【選択図】          図２
2006040551.tif 000002
【特許請求の範囲】
【請求項１】
コネクタ本体内に配されるターミナルをスライダーにより弾性変形させる電気コネクタにおいて、スライダーがターミナルの接点をコネクタ本体の内壁に接触させる第１位置と、及びターミナルの接点をコネクタ本体の内壁面から離反させる第２位置を選択可能であり、スライダーが第１位置のときフレキシブルプリント基板（ＦＰＣ）又はフレキシブルフラットケーブル（ＦＦＣ）をターミナルの接点を弾性変形させながらコネクタ本体内に挿入しかつスライダーが第２位置のときフレキシブルプリント基板（ＦＰＣ）又はフレキシブルフラットケーブル（ＦＦＣ）をターミナルの接点から離反させコネクタ本体の内部から外部への取出しを自在とさせることを特徴とする電気コネクタ。
【請求項２】
ターミナルが略Ｕ字状をなし、その一端がコネクタ本体の内壁に接する接点を他端がコネクタ本体の外部に延出し、接点を構成する自由片が山部を有し、スライダーが第１位置を取るときスライダーの一部が山部の手前に位置し、スライダーが第２位置を取るときスライダーの一部が山部に乗ることを特徴とする第１項記載の電気コネクタ。
【請求項３】
ターミナルがＹ字部を有し、Ｙ字部の一方の枝部がターミナル本体の内壁面と接触しかつ他方の枝部がスライダーの脚片に接し、ターミナルが第２位置を取るとき、Ｙ字部の脚部が弾性変形する請求項１記載の電気コネクタ。
【発明の詳細な説明】
【技術分野】
【０００１】
本発明は、フレキシブルプリント基板（ＦＰＣという）及びフレキシブルフラットケーブル（ＦＦＣという）用の電気コネクタに関する。
【背景技術】
【０００２】
ＦＰＣ及びＦＦＣ用の電気コネクタはジップ（ＺＩＰ）方式とノンジップ（Ｎｏｎ  ＺＩＰ）方式に大別され、前者はＦＰＣ又はＦＦＣを電気コネクタ本体内に挿入した後ＦＰＣ又はＦＦＣと本体内壁面との間にスライダーを配し、本体内のターミナルとＦＰＣ又はＦＦＣとの電気的接触を確保するものであり、後者は本体内のターミナルと本体内壁面との間にＦＰＣ又はＦＦＣを、ターミナルを弾性変形させながら力を加えて挿入しＦＰＣ又はＦＦＣとターミナルとの電気接触を確保するものである。
【０００３】
ノンジップ方式の電気コネクタの基本構成を図５に示す。電気コネクタ１は、導電材からなるターミナル２を複数個間隔をとって支持しており、コネクタ２の一端は電気コネクタ１の本体３より外部に延出し、他端は本体３の中空部４に位置する接点５となっている。接点５は、ＦＰＣ又はＦＦＣ７が開口６を介して中空部４内に挿入される前は、本体３の内壁面に接している。
ＦＰＣ又はＦＦＣ７が開口６を介して本体３の中空部４内に挿入されると、接点５が内壁面から離れる方向に弾性変形し、ＦＰＣ又はＦＦＣ７の挿入を許容する。ＦＰＣ又はＦＦＣ７が所定量中空部４内に挿入されると、接点５がＦＰＣ又はＦＦＣ７を本体３の内壁面に押しつけ、接点５とＦＰＣ又はＦＦＣ７との電気的接触を確保する。
【０００４】
【特許文献１】特開２００２−３６７７３０号公報
【特許文献２】特許第３２２２８４２号明細書
【発明の開示】
【発明が解決しようとする課題】
【０００５】
図５に示す従来例において、ＦＰＣ又はＦＦＣ７は、ターミナル２の接点５の弾性力に抗して本体３の内壁面に沿って力を加え挿入され、取り出すときは接点５の弾性力に打ち勝ってＦＰＣ又はＦＦＣ７を本体３から取り出すことになる。
【０００６】
このようなＦＰＣ又はＦＦＣ７の本体３に対する出し入れは、特に取り外しの時に、接点５がＦＰＣやＦＦＣの導体を削る傾向にあり、表面のメッキを剥がし、電気接続を不良とする錆の原因となっている。
それ故に、本発明は、前述した従来例の不具合を解消させることを解決すべき課題とする。
【課題を解決するための手段】
【０００７】
本発明は、前述した課題を解決するために、基本的にはフレキシブルプリント基板（ＦＰＣ）又はフレキシブルフラットケーブル（ＦＦＣ）をコネクタ内に挿着するときはターミナルの接点の弾性力に抗して挿入されるが、取り出すときはスライダーをコネクタ本体に押し込み、接点とＦＰＣ又はＦＦＣとを離反させ、ＦＰＣ又はＦＦＣを自由状態とさせ、これを取り出す技術手段を用いる。
【０００８】
この手段の採用は、ＦＰＣやＦＦＣの取外し時、接点のＦＰＣやＦＦＣの導体への喰い込み、その表面の削り取りがなく、ＦＰＣやＦＦＣの繰り返し使用を可能にする。
【０００９】
本発明によれば、コネクタ本体内に配されるターミナルをスライダーにより弾性変形させる電気コネクタにおいて、スライダーがターミナルの接点をコネクタ本体の内壁に接触させる第１位置と、及びターミナルの接点をコネクタ本体の内壁面から離反させる第２位置を選択可能であり、スライダーが第１位置のときフレキシブルプリント基板（ＦＰＣ）又はフレキシブルフラットケーブル（ＦＦＣ）をターミナルの接点を弾性変形させながらコネクタ本体内に挿入しかつスライダーが第２位置のときフレキシブルプリント基板（ＦＰＣ）又はフレキシブルフラットケーブル（ＦＦＣ）をターミナルの接点から離反させコネクタ本体の内部から外部への取出しを自在とさせることを特徴とする電気コネクタが提供される。
【００１０】
好ましくは、ターミナルが略Ｕ字状をなし、その一端がコネクタ本体の内壁に接する接点を他端がコネクタ本体の外部に延出し、接点を構成する自由片が山部を有し、スライダーが第１位置を取るときスライダーの一部が山部の手前に位置し、スライダーが第２位置を取るときスライダーの一部が山部に乗る。
【００１１】
さらに好ましくは、ターミナルがＹ字部を有し、Ｙ字部の一方の枝部がターミナル本体の内壁面と接触しかつ他方の枝部がスライダーの脚片に接し、ターミナルが第２位置を取るとき、Ｙ字部の脚部が弾性変形する。
【発明の効果】
【００１２】
ＦＰＣやＦＦＣのコネクタへの挿着時は、スライダーを操作することなく、ＦＰＣやＦＦＣをコネクタの開口内へと力を加えながら所定量挿入する。ＦＰＣやＦＦＣのコネクタからの取外し時には、スライダーを操作し、接点とＦＰＣ又はＦＦＣの導体とを離反させ、そのままＦＰＣやＦＦＣを外部へ取り出す。この作業は簡単で、しかもＦＰＣやＦＦＣの接点による導体の削れがなく、繰り返し使用が可能となる。
【００１３】
言い換えれば、ＦＰＣやＦＦＣのコネクタへの挿着時はノンジップ方式、ＦＰＣやＦＦＣのコネクタからの取外し時にはジップ方式の全く新しいタイプのセミジップタイプのコネクタが本発明により提供される。
【発明を実施するための最良の形態】
【００１４】
図１乃至３に示す実施形態の電気コネクタ８は本体９とスライダー１０とからなり、スライダー１０と本体９との間に、フレキシブルプリント基板（ＦＰＣ）やフレキシブルフラットケーブル（ＦＦＣ）１８の本体９内への出し入れをする開口１１を有す。
合成樹脂製の本体９は、開口１１に通じる中空部１２と段部１３を有し、中空部１２内にニッケル・鉄系合金の好ましくは銅メッキしたターミナル１４が本体９の長手方向に沿って複数個離間して配される。
【００１５】
ターミナル１４は、略Ｕ字状をなし、その一端が接点１５を構成し、他端２３が本体９の外部へ延出し、図示しない回路基板にハンダ付けされる。
接点１５を構成する自由片１６には外側に膨出した形の山部１７を設ける。
図２に示すＦＰＣ又はＦＦＣ１８の挿入前は、接点１５が本体９の内壁面に弾力的に接している。
【００１６】
スライダー１０は対の脚片１９，２０を有し、脚片１９の先端が図２の状態では、ターミナル１４の山部１７の手前に接し、スライダー１０が第１位置を取る。脚片２０は本体９の段部１３に沿って下方へ移動可能となっている。
尚、２１は本体の側面に設けたＦＰＣ又はＦＦＣ１８の側端面のためのガイドであり、２２はコネクタ８を回路基板（図示なし）の所定位置に取り付けるためのピンである。
【００１７】
図２に示す第１位置状態において、ＦＰＣ又はＦＦＣ１８を開口１１よりガイド２１に沿って中空部１２内へと挿入すると、ＦＰＣ又はＦＦＣ１８は接点１５を図２で見て右方へと弾力変形させながら中空部１２内へと挿入される。かくして、接点１５とＦＰＣ又はＦＦＣ１８の導体との電気的接触が確保される。
【００１８】
図３を参照する。スライダー１０を押し下げると、脚片２０が段部１３に沿って案内され、脚片１９が山部１７の上に乗り自由片１６を図３で見て右方へと弾性変形させる。この結果、スライダー１０は第２位置を取り、ＦＰＣ又はＦＦＣ１８は接点１５から解放され、力を加えることなく楽に抜き取ることができる。
【００１９】
図４に示す例は、ターミナル１４をプレートにより作製したもので、ターミナル１４はＹ字部２４を有す。Ｙ字部２４は、枝部２５，２６と脚部２７からなり、図４に示すスライダー１０の第１位置では、枝部２５の接点１５が本体９の内壁面に弾力的に接し、スライダー１０の脚片１９が他方の枝部２６の内側に接している。脚片２０は本体９の段部１３に案内され、押し下げ可能である。
ターミナル１４の本体９から外部へと延出する部分２３は図示しない回路基板の回路にハンダ付けされる。本体９の固定片２２’が図示しない回路基板にピン止め又はハンダ付けされ、本体９の回路基板に対する位置を特定する。
ターミナル１４はプレートの打ち抜き加工により製作され、そのベース部２８が本体９の内壁面に確実に保持され、定位置を確保する。
【００２０】
図４の例において、ＦＰＣ又はＦＦＣ１８を本体９の中空部１２内へとガイド２１に案内され差し込むと、ＦＰＣ又はＦＦＣ１８が枝部２５を図４で見て右方へと弾性変形させ、ＦＰＣ又はＦＦＣ１８の中空部１２内への挿入を許容する。該挿入が完了すると、接点１５がＦＰＣ又はＦＦＣ１８の導体に弾力的に電気接触する。
【００２１】
ＦＰＣ又はＦＦＣ１８を本体９から取り出すときは、スライダー１０を押し下げる。即ち、スライダー１０を第２位置へ移動させる。このスライダー１０の押し下げは、脚片１９が枝部２６を図４で見て右方へ変位させ、接点１５をＦＰＣ又はＦＦＣ１８から離反させＦＰＣ又はＦＦＣ１８を本体９に対し自由状態とさせる。かくして、ＦＰＣ又はＦＦＣ１８は、その表面が接点１５により削り取られることなく取り出し可能となる。
【００２２】
スライダー１０を第２位置（図３参照）として、ＦＰＣ又はＦＦＣ１８を電気コネクタ８より取り出した後、スライダー１０を第１位置（図２、図４参照）に戻し、次のＦＰＣ又はＦＦＣ１８の挿着作業に備える。
【図面の簡単な説明】
【００２３】
【図１】本発明の一例の電気コネクタの平面図である。
【図２】図１の矢視II−IIより見た断面図である。
【図３】図２の状態からスライダーを押し下げた状態を示す断面図である。
【図４】別の例の電気コネクタの図２相当の断面図である。
【図５】従来例の電気コネクタの断面図である。
【符号の説明】
【００２４】
８    電気コネクタ
９    本体
１０    スライダー
１１    開口
１２    中空部
１３    段部
１４    ターミナル
１５    接点
１６    自由片
１７    山部
１８    ＦＰＣ又はＦＦＣ
１９，２０    脚片
２４    Ｙ字部
【図１】
2006040551.tif 000003
【図２】
2006040551.tif 000004
【図３】
2006040551.tif 000005
【図４】
2006040551.tif 000006
【図５】
2006040551.tif 000007